(57)【特許請求の範囲】
【請求項１】
建築物の仕切壁に形成された矩形状の開口部の内周面を覆って一対の縦枠と上枠とからなる開口枠を取り付ける取付方法において、
前記縦枠の横断面形状に沿った形状の挿入開口面を上端に有する、前記縦枠の横断面形状に沿った平面形状を有する底面プレート部と、前記仕切壁への接合部分を除いて底面プレート部の周縁部から垂直に立設する枠プレート部とからなるガイド枠部材を、前記一対の縦枠の取付下端部を囲うようにして各々取り付け、前記仕切壁の壁仕上材の施工後に、前記ガイド枠部材の挿入開口面に前記縦枠の下端部を挿入係止して当該下端部を位置決めすると共に、前記縦枠を前記開口部の側方内周面に押し付けて前記縦枠を固定し、しかる後に前記開口部の上方内周面を覆って前記上枠を取り付けることを特徴とする開口枠の取付方法。
【請求項２】
前記ガイド枠部材は、前記壁仕上材の施工後に、前記一対の縦枠の取付下端部を囲うようにして各々取り付けられることを特徴とする請求項１記載の開口枠の取付方法。
【請求項３】
前記枠プレート部の戸当りの取付位置に相当する部分は切欠き部となっており、当該切欠き部を介することにより、前記縦枠の額縁型及びドア用方立を一体として前記開口部の側方内周面に取り付けた後に、前記戸当りを別途取付ける作業を行う請求項１又は２記載の開口枠の取付方法。
【請求項４】
建築物の仕切壁に形成された矩形状の開口部の内周面を覆って取り付けられる一対の縦枠と上枠とからなる開口枠の取付構造において、
前記一対の縦枠の取付下端部を囲うようにして各々取り付けられた、前記縦枠の横断面形状に沿った形状の挿入開口面を上端に有する、前記縦枠の横断面形状に沿った平面形状を有する底面プレート部と、前記仕切壁への接合部分を除いて底面プレート部の周縁部から垂直に立設する枠プレート部とからなるガイド枠部材と、該ガイド枠部材の挿入開口面に下端部を挿入係止して当該下端部が位置決めされると共に、前記開口部の側方内周面に押し付けられて固定される前記縦枠と、前記開口部の上方内周面を覆って取り付けられる前記上枠とからなることを特徴とする開口枠の取付構造。
【発明の詳細な説明】
【０００１】
【発明の属する技術分野】
本発明は、建築物の仕切壁に形成された矩形状の開口部の内周面を覆って一対の縦枠と上枠とからなる開口枠を取り付ける取付方法及び取付構造に関する。
【０００２】
【従来の技術及び発明が解決しようとする課題】
建築物にはこれの内部を複数の空間に区画する仕切壁が設けられると共に、この仕切壁には区画された居室空間等を連通して出入り可能にする開口部が形成される。またこの開口部には開閉扉等が適宜設置される。
【０００３】
仕切壁に形成される開口部は、一般に矩形形状を有し、その内周面や開口縁部を覆って開口枠が取り付けられ、当該内周面や開口縁部を保護すると共に、開口部の美観を向上させている。
【０００４】
開口部に取り付けられる開口枠は、一般に建物のフロア面から立設して開口部の側方内周面に沿って取り付けられる一対の縦枠と、開口部の上方内周面に沿って配置され、一対の縦枠の上端部に係止される上枠とからなる。そしてこの開口枠は、従来の方法によれば、建築物の内部の造作工事中おいて、仕切壁に壁仕上げ材を施工する前に開口部に取り付けられていた。
【０００５】
しかしながら、開口枠を壁仕上げ材の施工前に開口部に取り付けた場合、仕上げ工事の施工時に、開口枠を傷つけたり、壁仕上げボードの粉やクロスのパテ等による汚れを開口枠に付着させたりするおそれがあるため、手間のかかる養生を行う必要があった。また、クロス張り仕上げ工事の際にチリ際をカッターナイフで傷付けてしまうことが多く、工事の進捗により開口枠を取り外すのも面倒なため、傷つけた開口枠は補修によって対処せざるを得なかった。さらに、開口枠を取り替えて装飾性を向上させたい場合等、何らかの理由で設置した開口枠を取り外す必要がある時には、壁仕上げ材等の周囲の仕上げ材を壊して開口枠の取付時点の状態まで戻さなければならず、その復旧作業に多くの費用と手間を必要としていた。
【０００６】
本発明は、このような従来の課題に着目してなされたもので、開口枠を傷つけたり汚したりすることなく開口部に容易に取り付けることができると共に、開口枠を取り外して容易に設置し直すことのできる開口枠の取付方法及び取付構造を提供することを目的とする。
【０００７】
【課題を解決するための手段】
本発明は、建築物の仕切壁に形成された矩形状の開口部の内周面を覆って一対の縦枠と上枠とからなる開口枠を取り付ける取付方法において、前記縦枠の横断面形状に沿った形状の挿入開口面を上端に有する、前記縦枠の横断面形状に沿った平面形状を有する底面プレート部と、前記仕切壁への接合部分を除いて底面プレート部の周縁部から垂直に立設する枠プレート部とからなるガイド枠部材を、前記一対の縦枠の取付下端部を囲うようにして各々取り付け、前記仕切壁の壁仕上材の施工後に、前記ガイド枠部材の挿入開口面に前記縦枠の下端部を挿入係止して当該下端部を位置決めすると共に、前記縦枠を前記開口部の側方内周面に押し付けて前記縦枠を固定し、しかる後に前記開口部の上方内周面を覆って前記上枠を取り付けることを特徴とする開口枠の取付方法を提供することにより、上記目的を達成したものである（請求項１記載の発明）。
【０００８】
本発明の開口枠の取付方法は、前記ガイド枠部材を、前記壁仕上材の施工後に、前記一対の縦枠の取付下端部を囲うようにして各々取り付けることが好ましい（請求項２記載の発明）。
【０００９】
本発明の開口枠の取付方法は、前記枠プレート部の戸当りの取付位置に相当する部分は切欠き部となっており、当該切欠き部を介することにより、前記縦枠の額縁型及びドア用方立を一体として前記開口部の側方内周面に取り付けた後に、前記戸当りを別途取付ける作業を行うことが好ましい（請求項３記載の発明）。
【００１０】
また、本発明は、建築物の仕切壁に形成された矩形状の開口部の内周面を覆って取り付けられる一対の縦枠と上枠とからなる開口枠の取付構造において、前記一対の縦枠の取付下端部を囲うようにして各々取り付けられた、前記縦枠の横断面形状に沿った形状の挿入開口面を上端に有する、前記縦枠の横断面形状に沿った平面形状を有する底面プレート部と、前記仕切壁への接合部分を除いて底面プレート部の周縁部から垂直に立設する枠プレート部とからなるガイド枠部材と、該ガイド枠部材の挿入開口面に下端部を挿入係止して当該下端部が位置決めされると共に、前記開口部の側方内周面に押し付けられて固定される前記縦枠と、前記開口部の上方内周面を覆って取り付けられる前記上枠とからなることを特徴とする開口枠の取付構造を提供することにより、上記目的を達成したものである（請求項４記載の発明）。
【００１１】
【発明の実施の形態】
本発明の好ましい実施形態を添付図面を参照しつつ詳細に説明する。本実施形態によれば、図１に示すように、建築物の仕切壁１０に形成された例えば縦２０００ｍｍ，横７５０ｍｍ程度の大きさの矩形状の開口部１１の内周面を覆って一対の縦枠１２と上枠１３とからなる開口枠１４を取り付ける際に、本発明の取付方法及び取付構造を採用したものである。
【００１２】
すなわち、本実施形態の開口枠１４の取付方法によれば、縦枠１２の横断面形状に沿った形状の挿入開口面１５（図３参照）を上端に有するガイド枠部材１６を、一対の縦枠１３の取付下端部を囲うようにして各々取り付け、仕切壁１０の壁仕上材１７の施工後に、ガイド枠部材１６の挿入開口面１５に縦枠１２の下端部を挿入係止して下端部を位置決めすると共（図１参照）に、縦枠１２を開口部１１の側方内周面２１に押し付けて縦枠１２を固定し、しかる後に開口部１１の上方内周面を覆って上枠１３を取り付けることにより、開口枠１４が設置される。
【００１３】
また、本実施形態によれば、開口枠１４の取付構造は、一対の縦枠１２の取付下端部を囲うようにして各々取り付けられた、縦枠１２の横断面形状に沿った形状の挿入開口面１５を上端に有するガイド枠部材１６と、このガイド枠部材１６の挿入開口面１５に下端部を挿入係止して当該下端部が位置決めされると共に、開口部１１の側方内周面２１に押し付けられて固定される縦枠１２と、開口部１１の上方内周面を覆って取り付けられる上枠１３とからなる。
【００１４】
縦枠１２は、図２及び図４に示すように、仕切壁１０の開口部１１の側方内周面２１の角部に配設されて開口部１１の開口縁部を覆う断面Ｌ字状の一対の額縁型１８と、これらの額縁型１８の間に配設されて側方内周面２１の中央部分を覆うドア用方立１９と、このドア用方立１９の中心位置に配置される戸当り２０とによって構成され、表面側が階段状に突出すると共に背面側に仕切壁１０の端部を嵌め込む凹嵌部を備える断面形状を有し、建物のフロア面２２から立設して開口部１１の側方内周面２１に沿って取り付けられる。なお、戸当り２０は、額縁型１８及びドア用方立１９を一体として開口部１１の側方内周面２１に取り付けた後に、ドア用方立１９の中央に形成した取付溝３２に沿って配置しつつこれらとは別途に取り付けることもできる。
【００１５】
ガイド枠部材１６は、図３に示すように、ステンレス等の金属プレートや合成樹脂を加工して形成された高さ５０ｍｍ程度の枠体であって、縦枠１２の横断面形状に沿った平面形状を有する底面プレート部２３と、仕切壁１０への接合部分を除いて底面プレート部２３の周縁部から垂直に立設する枠プレート部２４とからなり、このガイド枠部材１６の上端面は、枠プレート部２４の上端縁部により囲まれて、縦枠１２の横断面形状に沿った形状の挿入開口面１５となっている。ガイド枠部材１６は、底面プレート部２３に形成されたビス孔にビスを打ち込むことにより、枠プレート部２４によって一対の縦枠１２の取付下端部を囲んだ状態でフロア面２２に各々固定される。なお、枠プレート部２４の戸当り２０の取付位置に相当する部分は切欠き部２５となっており、当該切欠き部２５を介することにより、縦枠１２の額縁型１８及びドア用方立１９を一体として側方内周面２１に取り付けた後に戸当り２０を別途取付ける作業を行うことができるようになっている。
【００１６】
上枠１３は、図５に示すように、仕切壁１０の開口部１１の上方内周面２６の角部に配設されて開口部１１の開口縁部を覆う断面Ｌ字状の一対の額縁型２７と、これらの額縁型２７の間に配設されて上方内周面２６の中央部分を覆うドア用上枠２８と、このドア用上枠２８の中心位置に配置される戸当り２９とによって構成され、表面側が階段状に突出すると共に背面側に仕切壁１０の下端部を嵌め込む凹嵌部を備える断面形状を有する。上枠１３は、開口部１１の上方内周面２６を下方から覆って配置され、一対の縦枠１２の上端部にその両端が係止されることにより、開口部１１の内周面２１，２６を覆う開口枠１４として縦枠１２に一体化される。
【００１７】
本実施形態によれば、一対の縦枠１２と上枠１３とからなる開口枠１４は、仕切壁１０の壁仕上材１７の施工後に、開口部１１の内周面２１，２６を覆って取る付けられる。即ち、柱３０や間柱に支持させて、厚さ１２．５ｍｍ程度の石膏ボードが壁仕上材１７として取り付けられると共に、壁仕上材１７の表面には、ビニールクロス等の表面仕上材が敷設される。尚、開口部１１の内周面２１，２６には、当該内周面に沿って建入れ調整材３１がパッキン材として取り付けられており、壁仕上材１７は、建入れ調整材３１を挟み込む位置まで延設して取り付けられる。
【００１８】
壁仕上材１７を施工したら、例えばフローリングによるフロア面２２を形成した後、開口枠１４の取付作業を行う。即ち、まずガイド枠部材１６を、一対の縦枠１３の取付下端部を囲うようにしてフロア面２２に固定する。次に、額縁型１８及びドア用方立１９が一体となった縦枠１２の下端部を、ガイド枠部材１６の挿入開口面１５に挿入係止して当該下端部を位置決めすると共に（図１参照）、縦枠１２を開口部１１の側方内周面２１に押し付け、縦枠１２の凹嵌部により側方内周面２１及び壁仕上材１７の端部が配設された開口縁部を覆うようにして当該縦枠１２を装着する。また、ドア用方立１９の取付溝３２からに建入れ調整材３１に向けてビス等を打ち込むことにより、縦枠１２を開口部１１の側方内周面２１に強固に固定する。さらに、打ち込まれたビスを覆い隠すようにして、取付溝２３に沿って戸当り２０をビス等を介して取り付け、これによって縦枠１２の設置作業が完了する。なお、本実施形態によれば、縦枠１２や戸当り２０は、ビス等の取り外しを容易にして、着脱可能に固定されている。
【００１９】
開口部１１の側方内周面２１に縦枠１２を取り付けたら、開口部１１の上方内周面２６を覆って上枠１３を取り付ける。即ち、開口部１１に固定された縦枠１２の上端部に両端を当接しつつ、縦枠１２と同様に、額縁型２７及びドア用上枠２８が一体となった上枠１３を開口部１１の上方内周面２６に押し付け、ドア用上枠２８の取付溝３３からまぐさ材３４に向けてビス等を打ち込むことにより、上枠１３を開口部１１の上方内周面２６に固定する。また、打ち込まれたビスを覆い隠すようにして、取付溝３３に沿って戸当り２９がビス等を介して取り付けられ、これによって上枠１３の設置作業が完了する。
【００２０】
そして、本実施形態によれば、開口枠１４を傷つけたり汚したりすることなく、開口部１１に開口枠１４を容易に取り付けることができる。即ち、縦枠１２の横断面形状に沿った形状の挿入開口面１５を上端に有するガイド枠部材１６を用いることにより、壁仕上げ材１７の施工後に、一対の縦枠１２と上枠１３とからなる開口枠１４の取付作業をスムースに行うことができるので、チリ際をカッターナイフで傷付けたり、石膏ボードの粉やクロスのパテ等による汚れを開口枠１４に付着させたりするおそれがない。
【００２１】
また、本実施形態によれば、開口枠１４を取り外して、容易に設置し直すことができる。即ち、開口枠１４は、壁仕上げ材１７の施工後に取り付けられたものなので、周囲の仕上げ部材を壊すくとなく開口枠１４を取り外すことができ、また開口枠１４を取り外した後もガイド枠部材１６は残置されるので、当該ガイド枠部材１６をガイドとして、開口枠１４を容易に設置し直すことができる。したがって、開口枠１４を取り替えて開口部１１の装飾性を容易に向上させることもできる。
【００２２】
なお、本発明は上記各実施形態に限定されることなく種々の変更が可能である。例えば、ガイド枠部材は、壁仕上材の施工後にフロア面に取り付ける必要は必ずしもなく、壁仕上材の施工に先立って取り付けておくこともできる。また、縦枠の横断面形状や挿入開口面に形状は、上記実施形態の形状に限定されるものではなく、種々の断面形状の縦枠を用いることもできる。
【００２３】
【発明の効果】
以上詳細に説明したように、本発明の開口枠の取付方法及び取付構造によれば、開口枠を傷つけたり汚したりすることなく開口部に容易に取り付けることができると共に、開口枠を取り外して容易に設置し直すことができる。
【図面の簡単な説明】
【図１】本発明の一実施形態に係る開口枠の取付方法及び取付構造を説明する略示斜視図である。
【図２】縦枠の取付状況を示す要部斜視図である。
【図３】ガイド枠部材の取付状況を示す要部斜視図である。
【図４】縦枠の取付状況を示す図２のＡ−Ａに沿った断面図である。
【図５】上枠の取付状況を示す図１のＢ−Ｂに沿った上枠取付後の断面図である。
【符号の説明】
１０  仕切壁
１１  開口部
１２  縦枠
１３  上枠
１４  開口枠
１５  挿入開口面
１６  ガイド枠部材
１７  壁仕上材
１８，２７  額縁型
１９  ドア用方立
２０，２９  戸当り
２１  側方内周面
２２  フロア面
２３  底面プレート部
２４  枠プレート部
２５  切欠き部
２６  上方内周面
２８  ドア用上枠
３０  柱
３１  建入れ調整材
３２，３３  取付溝
３４  まぐさ材
【図１】
0004708551.tif 000002
【図２】
0004708551.tif 000003
【図３】
0004708551.tif 000004
【図４】
0004708551.tif 000005
【図５】
0004708551.tif 000006